(57)【要約】【課題】簡素な構成によって、利用者の嗜好に応じて寝心地が簡単に調整できると共に、寝心地調整によって生じる違和感が可及的に抑制されるマットレスおよびそれに装填される弾性ユニットを提供すること。【解決手段】マットレス１は、マットレス１の外郭を形成する弾性枠体２と、弾性枠体２の内部に反転自在に装填される寝心地調整用の第１の弾性ユニット（３，４）と、第１の弾性ユニット（３，４）の上方に位置する第２の弾性ユニット（弾性層）５と、を備えている。第１の弾性ユニット（３，４）は、厚さ方向に沿って一側と他側で硬さが異なるとともに、一側および他側の硬さが第２の弾性ユニット（弾性層）５と異なっている。【選択図】図１
2010253103.tif 000002
【特許請求の範囲】
【請求項１】
マットレスの外郭を形成する弾性枠体と、
該弾性枠体の内部に反転自在に装填される寝心地調整用の第１の弾性ユニットと、
該第１の弾性ユニットの上方に位置する弾性層と、を備え、
前記第１の弾性ユニットは、厚さ方向に沿って一側と他側で硬さが異なるとともに、前記一側および他側の硬さが前記弾性層と異なることを特徴とするマットレス。
【請求項２】
前記弾性層は、前記弾性枠体および前記第１の弾性ユニットから独立して構成され、該第１の弾性ユニットの前記前後方向に沿った長さよりも長い第２の弾性ユニットであり、
前記前後方向に沿って、前記第２の弾性ユニットの下面は、その両端部が前記弾性枠体から支持されると共に、その中間部が前記第１の弾性ユニット上面に載置される、
ことを特徴とする請求項１記載のマットレス。
【請求項３】
前記第１の弾性ユニットの前記前後方向に沿った長さは、該第１の弾性ユニットが利用者の背中部および臀部の下方に位置するよう設定される、ことを特徴とする請求項１又は２記載のマットレス。
【請求項４】
前記第１の弾性ユニットは、該第１の弾性ユニットの厚さ方向に沿って一側に配置され弾性変形自在な第１の層と、同他側に配置され弾性変形自在な第２の層と、を含み、
前記第１の層と前記第２の層は、少なくとも硬さが異なり、
前記弾性枠体及び前記弾性層の硬さは、前記第１の層の硬さと前記第２の層の硬さの間にある、
ことを特徴とする請求項１〜３のいずれか一記載のマットレス。
【請求項５】
マットレス内部に装填される寝心地調整用の弾性ユニットであって、
芯材と、
前記芯材の厚さ方向に沿って一側に配置され弾性変形自在な第１の層と、
前記芯材の厚さ方向に沿って他側に配置され弾性変形自在な第２の層と、
を有し、
前記芯材は、前記第１及び第２の層よりも硬く、
前記第１の層と前記第２の層は、硬さが異なり、
前記第１の層と前記第２の層のうち、柔らかい方の層は硬い方の層よりも厚い、
ことを特徴とする弾性ユニット。
【請求項６】
前記弾性ユニットの面方向に沿って、前記芯材は、前記第１及び第２の層よりも後退している、ことを特徴とする請求項５記載の弾性ユニット。
【請求項７】
前記第１の弾性ユニットの角部及び／又は辺部が面取りされていることを特徴とする請求項５又は６記載の弾性ユニット。
【発明の詳細な説明】
【技術分野】
【０００１】
本発明は、マットレス及びそれに装填される弾性ユニットに関し、特に、寝心地が調整可能なマットレス及びそれに装填される弾性ユニットに関する。
【背景技術】
【０００２】
特許文献１には、ベッド内部に設置されたエアポンプを用いて、ベッド基台上のエアマットレスに空気を供給又は排気をすることにより、マットレスの硬さを調整するエアベッドが開示されている。
【０００３】
特許文献２には、マットレス内部に配置されるウレタン発泡体製の枠体と、前記枠体内に反転自在に装填されるラテックス発泡体と、を備え、前記ラテックス発泡体は、芯材を挟んで厚さの異なる“同じ硬さ”のラテックス発泡体を積層した構造である、マットレスが提案されている。利用者が、このマットレス上に横たわると、前記ラテックス発泡体が圧縮され、該ラテックス発泡体の上面と枠体の上面の高さが同じとなる。
【先行技術文献】
【特許文献】
【０００４】
【特許文献１】特開２００２−２０９６７４号公報（図１および図７）
【特許文献２】実登３０９２４６４号公報（図２および段落００２５）
【発明の概要】
【発明が解決しようとする課題】
【０００５】
特許文献１に開示されたようなエアマットレスは、エアポンプ、多数のエアホース及びエアポンプを制御する制御ボックスが必要であるため、部品点数が多く又高価であるという問題がある。
【０００６】
特許文献２のマットレスによれば、枠体とラテックス発泡体との境目で、マットレスの硬さが急激に変化することにより、利用者に違和感を生じさせるという問題がある。その理由は、利用者の荷重が、マットレスの上層に位置するラテックス発泡体に直接的に印加されるからである。
【０００７】
また、特許文献２のマットレスによれば、マットレスの寝心地の調整幅が小さいという問題がある。その理由は、ラテックス発泡体において、芯材を挟んで、厚さは異なるが、“同じ硬さ”であるラテックス発泡体を積層しているためである。
【０００８】
本発明の目的は、簡素な構成によって、利用者の嗜好に応じて寝心地が簡単に調整できると共に、寝心地調整によって生じる違和感が可及的に抑制されるマットレスおよびそれに装填される弾性ユニットを提供することである。
【課題を解決するための手段】
【０００９】
本発明は、第１の視点において、マットレスの外郭を形成する弾性枠体と、該弾性枠体の内部に反転自在に装填される寝心地調整用の第１の弾性ユニットと、該第１の弾性ユニットの上方に位置する弾性層と、を備え、前記第１の弾性ユニットは、厚さ方向に沿って一側と他側で硬さが異なるとともに、前記一側および他側の硬さが前記弾性層と異なるマットレスを提供する。
【００１０】
なお、マットレス、弾性枠体、第１の弾性ユニット及び弾性層の硬さ、すなわち、所定荷重に対する変位量（沈み込み量）は、ＪＩＳ Ｋ ６４００、或いは、それと同等の外国ないし国際基準に準拠して評価すればよい。
【００１１】
本発明は、第２の視点において、マットレス内部に装填される寝心地調整用の弾性ユニットであって、芯材と、前記芯材の厚さ方向に沿って一側に配置され弾性変形自在な第１の層と、前記芯材の厚さ方向に沿って他側に配置され弾性変形自在な第２の層と、を有し、前記芯材は、前記第１及び第２の層よりも硬く、前記第１の層と前記第２の層は、硬さが異なり、前記第１の層と前記第２の層のうち、柔らかい方の層は硬い方の層よりも厚い、弾性ユニットを提供する。
【発明の効果】
【００１２】
［マットレス］
（１）本発明によるマットレスは、一側と他側で硬さが異なる第１の弾性ユニットの反転によって、寝心地を調整するという簡素な構成を有する。
（２）本発明によれば、第１の弾性ユニットを反転させることにより、マットレスの硬さを簡単に変更することができるため、利用者の嗜好に応じて寝心地が簡単に調整できる。
（３）本発明によれば、第１の弾性ユニットの一側と他側の硬さが弾性層と異なることにより、寝心地の調整幅が拡大されている。
（４）本発明によれば、寝心地調整用の第１の弾性ユニットと、マットレスの外郭を形成するための弾性枠体との間の硬さの相違が、第１の弾性ユニット上に位置して所定の硬さを備える弾性層によって吸収されることにより、寝心地調整用の第１の弾性ユニットの装填によって生じる違和感が可及的に抑制される。
（５）本発明によれば、弾性枠体と第１の弾性ユニットの境目、例えば、マットレスの頭側周辺部や足側周辺部における体圧分散能力の変化が、弾性層（第２の弾性ユニット）によって吸収され、マットレス全面で良好な体圧分散分布を得ることができる。
【００１３】
［マットレスに装填される寝心地調整用の弾性ユニット］
（１）本発明による寝心地調整用の弾性ユニットによれば、その反転により、マットレスの硬さを簡単に変更することができる。また、本発明によるマットレスは、安価で少数の部品から簡単に組み立てることができる。かくして、本発明によるマットレスは、多数の利用者の嗜好に対応して寝心地を可変に設定できると共に、利用者の体型変化に応じて寝心地を簡単に変更することができる。
（２）本発明による寝心地調整用の弾性ユニットによれば、その一側と他側で“硬さ”が異なるため、この弾性ユニットを反転した際、寝心地の差が顕著になり、利用者は寝心地調整の効果を実感することができる。
（３）本発明による寝心地調整用の弾性ユニットによれば、第１の層と第２の層とを比較して、柔らかい方の層が厚く、硬い方の層が薄く形成されている。これによって、柔らかい層が上になるよう、この弾性ユニットがマットレスに装填された場合であって、かつ大きな荷重が弾性ユニットに印加された際であっても、厚く形成された第２の層は、完全につぶれることなく弾性変形して利用者の体圧を分散することができる。これに対して、硬く形成された層は、所定荷重に対する変位量が小さいため、薄く形成しても、利用者の体圧を十分に分散することができる。
（４）本発明による寝心地調整用の弾性ユニットにおいて、第１の層と第２の層との間に、芯材を設けることにより、弾性ユニットの一側と他側の寝心地の相違が顕著となる。また、芯材は、弾性変形自在な第１の層と第２の層によって、挟まれていることによって、利用者が、本発明の弾性ユニットないしそれが装填されたマットレス上で乗降した際、芯材による弾性枠体の損傷を防ぐことができる。また、第１の層と第２の層との間に、芯材を設けることにより、第１の層と第２の層の形状が保持され、両層の干渉が防止される。
【図面の簡単な説明】
【００１４】
【図１】（Ａ）は、本発明の実施例１に係るマットレスの一部破断上面図であり、（Ｂ）は、（Ａ）のＢ−Ｂ断面図である。
【図２】（Ａ）は、図１に示したマットレスが内蔵する第１の弾性ユニットの上面図であり、（Ｂ）は、（Ａ）のＢ−Ｂ断面図である。
【図３】図１に示した、弾性枠体、第１の弾性ユニットおよび第２の弾性ユニットの荷重−ストローク線図である。
【図４】本発明の実施例２に係るダブルベッド用のマットレスの一部破断上面図である。
【図５】（Ａ）は、本発明の実施例３に係る第１の弾性ユニットの上面図、（Ｂ）は、（Ａ）の前後方向から見た側面図である。
【図６】（Ａ）は、本発明の実施例４に係る第１の弾性ユニットの上面図、（Ｂ）は、（Ａ）の前後方向から見た側面図である。
【図７】（Ａ）は、本発明の実施例５に係る第１の弾性ユニットの上面図、（Ｂ）は、（Ａ）の前後方向から見た側面図である。
【発明を実施するための形態】
【００１５】
本発明の実施の形態において、前記第１の弾性ユニットの上方に位置する前記弾性層は、前記弾性枠体および前記第１の弾性ユニットから独立して構成され、該第１の弾性ユニットの前記前後方向に沿った長さよりも長い第２の弾性ユニットであり、前記前後方向に沿って、前記第２の弾性ユニットの下面は、その両端部が前記弾性枠体から支持されると共に、その中間部が前記第１の弾性ユニット上面に載置される。この形態によれば、弾性枠体と第１の弾性ユニットの硬さの相違による体圧分散能力の急激な変化が、第２の弾性ユニットによって回避され、良好な体圧分散効果を得ることができる。特に、第２の弾性ユニットの端部が、弾性枠体から支持されていることにより、弾性枠体と第１の弾性ユニットの境目、すなわち、マットレスの縁部における体圧分散能力が向上される。また、弾性枠体から独立して形成された第２の弾性ユニットは、取り外し容易であるため、第１の弾性ユニットを反転させて寝心地を変える操作が簡単になる。
【００１６】
本発明の実施の形態において、前記第１の弾性ユニットの前記前後方向に沿った長さは、該第１の弾性ユニットが利用者の背中部および臀部の下方に位置するよう設定される。この形態によれば、個体差が大きい背中荷重と臀部荷重にそれぞれ対応する位置に、寝心地調整用の第１の弾性ユニットがある。
【００１７】
本発明の実施の形態において、前記第１の弾性ユニットは、該第１の弾性ユニットの厚さ方向に沿って一側に配置され弾性変形自在な第１の層と、同他側に配置され弾性変形自在な第２の層と、を含み、前記第１の層と前記第２の層は、少なくとも硬さが異なり、前記弾性枠体及び前記弾性層の硬さは、前記第１の層の硬さと前記第２の層の硬さの間にある。
【００１８】
本発明の実施の形態において、前記マットレスの面方向に沿って、前記芯材は、前記第１及び第２の層よりも後退している。この形態によれば、芯材の耐久性が向上するとともに、芯材が他部材、例えば、マットレスの弾性枠体を損傷することが防止される。
【００１９】
本発明の実施の形態において、前記第１の弾性ユニットの角部及び／又は辺部が面取りされている。この形態によれば、第１の弾性ユニットの耐久性が向上する。
【００２０】
本発明の実施の形態において、前記弾性層の硬さを以下のように設定することにより、前記マットレスの前後方向に沿った硬さの変化が緩和される：
（１）前記弾性枠体と同等の硬さ；
（２）前記第１の弾性ユニットの前記一側及び前記他側のいずれか柔らかい方の硬さ＜該弾性層の硬さ≦前記弾性枠体の硬さ＜前記第１の弾性ユニットの前記一側及び前記他側のいずれか硬い方の硬さ。
（３）前記第１の弾性ユニットの前記一側及び前記他側のいずれか柔らかい方の硬さ＜前記弾性枠体の硬さ≦弾性層の硬さ＜前記第１の弾性ユニットの前記一側及び前記他側のいずれか硬い方の硬さ。
【００２１】
本発明の実施の形態において、前記弾性層は、前記マットレスの前後方向に沿った硬さの変化を緩和する硬さを備える。
【００２２】
本発明の実施の形態において、第１の層と第２の層の硬さの差を、利用者の体重を考慮した所定荷重に対する変位量の差が１０ｍｍ以上となるよう設定する。この形態によれば、第１の層を上にした場合と、第２の層を上にした場合とで、寝心地の差が明確になり、寝心地の調整幅が拡大される。
【００２３】
本発明の実施の形態においては、弾性枠体と弾性層（第２の弾性ユニット）の硬さを同等とする。また、弾性層（第２の弾性ユニット）の硬さを、第１又は第２の層と弾性枠体の硬さの間において、弾性枠体寄りにしてもよい。この形態によれば、弾性枠体と弾性層の境目で生じる違和感が可及的に抑制される。
【００２４】
本発明の実施の形態においては、第１と第２の層の硬さの差を、50〜250N/314cm２（JIS K 6400）の範囲、好ましくは、70〜200N/314cm２（JIS K 6400）の範囲とする。弾性枠体及び弾性層（第２の弾性ユニット）の硬さは、これらの範囲の中心から±２５％の範囲内とすることが好ましい。第１及び第２の層のうち、柔らかい方の層の厚さは、十分な変位量が確保できるよう設定し、硬い方の層の厚さは、可及的に薄くして、マットレスを薄型化すると共に製造コストを低減する。
【００２５】
本発明の実施の形態において、弾性枠体と弾性層は、別体であることにより、第１の弾性ユニットの反転および装填が容易となる。但し、場合によっては、弾性枠体と弾性層を一体化することもできる。
【００２６】
本発明の実施の形態において、第１の弾性ユニットは、マットレスないしベッドの前後方向に沿って、複数個に分割されて装填される、この形態によれば、例えば、背中と臀部で寝心地を変えることができる。すなわち、利用者の嗜好に応じて、身体の部位に応じた体圧分散能力又は寝心地が設定される。
【００２７】
本発明の実施の形態において、第１の弾性ユニットは、マットレスないしベッドの幅方向に沿って、複数個に分割されて装填される。この形態に係るマットレスは、ダブルベッドなどの複数人用ベッドに適用されるマットレスとして好適であり、各利用者に応じて寝心地を変更することができ、幅方向、特に、幅方向中央部（複数の利用者の間周辺）の寝心地の急激な変化は、弾性層（第２の弾性ユニット）によって吸収される。この形態の場合、弾性層（第２の弾性ユニット）は、第１の弾性ユニットの幅よりも長く形成し、弾性層（第２の弾性ユニット）の下面において、幅方向両端部は弾性枠体に支持され、幅方向中間部は第１の弾性ユニット上に載置されることが好ましい。
【００２８】
このように、第１の弾性ユニットを前後方向および／又は幅方向に沿って分割形成することにより、寝心地ないし体圧分散分布が異なる多様なマットレスが提供される。
【００２９】
本発明の実施の形態に係るマットレスは、種々の表層、中間層および底層の追加を許容できる。
【実施例１】
【００３０】
以下、図面を参照して本発明の一実施例を説明する。図１（Ａ）は、本発明の一実施例に係るマットレスの一部破断上面図であり、図１（Ｂ）は、図１（Ａ）のＢ−Ｂ断面図である。
【００３１】
［マットレス全体構造］
図１（Ａ）を参照すると、本実施例に係るマットレス１は、マットレス１の外郭を形成する弾性枠体２と、弾性枠体２の内部に反転自在に装填される寝心地調整用の第１の弾性ユニット（３，４）と、第１の弾性ユニット（３，４）の上方に位置する第２の弾性ユニット（弾性層）５と、を備えている。第１の弾性ユニット（３，４）は、厚さ方向に沿って一側と他側で硬さが異なるとともに、一側および他側の硬さが第２の弾性ユニット（弾性層）５と異なっている。第１の弾性ユニット（３，４）は、第１の背中側弾性ユニット３と第１の足元側弾性ユニット４とから構成されている。
【００３２】
第２の弾性ユニット５は、マットレス１の前後方向（ベッドの前後方向）に沿った硬さの変化を緩和するよう、弾性枠体２と同等の硬さを備えている。第２の弾性ユニット５は、弾性枠体２および第１の弾性ユニット（３，４）から独立して構成され、第１の弾性ユニット（３，４）の前後方向（ベッド前後方向）に沿った長さよりも長く形成されている。
【００３３】
弾性枠体２、第１の弾性ユニット（３，４）及び第２の弾性ユニット５は、樹脂弾性体、例えば、発泡ウレタンフォーム、ゴム発泡体などから形成される。
【００３４】
詳細には、マットレス１内には、互いに連通する上段凹部２ａと下段凹部２ｂとが形成されている。マットレス１上面側に位置する上段凹部２ａには、第２の弾性ユニット５が、第１の弾性ユニット（３，４）を覆うように収容されている。マットレス１底側であって弾性枠体２の底面上に位置する下段凹部２ｂには、第１の弾性ユニット（３，４）が収容されている。
【００３５】
かくして、第２の弾性ユニット５の下面は、前後方向に沿って、その両端部が弾性枠体２、詳細には、上段凹部２ａの底面から支持されると共に、その中間部が第１の弾性ユニット（３，４）の上面に載置されている。一方、第１の弾性ユニット（３，４）の前後方向に沿った長さは、第１の弾性ユニット（３，４）のうち、第１の背中側弾性ユニット３が利用者の背中部の下方に位置し、第１の足元側弾性ユニット４および臀部の下方に位置するよう設定されている。
【００３６】
マットレス１の表面は、外装カバー６によって被覆されている。外装カバー６は、例えば、表キルト部６ａ、側面キルト部６ｂ及び底布地部６ｃから構成される。表キルト部６ａと側面キルト部６ｂとは、不図示のファスナー等によって解除可能に連結される。側面キルト部６ｂと底布地部６ｃは、エッジテープ等で連結される。これによって、マットレス１から、第２の弾性ユニット５を取り出し、さらに、第１の弾性ユニット（３，４）を反転して装填することが容易になる。
【００３７】
外装カバー６の表面は、繊維物で形成され、外装カバー６の表キルト部６ａの内部は、ポリエステル綿や発泡ウレタンフォームで形成される。
【００３８】
［マットレス全体の機能］
利用者の荷重は、弾性枠体２と同等の硬さを有する第２の弾性ユニット５を介して、第１の弾性ユニット（３，４）に印加されることにより、マットレス１の前後方向に沿った体圧分散能力の急激な変化が緩和される。加えて、第２の弾性ユニット（弾性層）５の下面は、前方から後方に向かって、上段凹部２ａの底面、第１の弾性ユニット（３，４）及び上段凹部２ａの底面上に支持されている。この支持構造によって、特に、弾性枠体２と第１の弾性ユニット（３，４）の境界上で、弾性枠体２と、第１の弾性ユニット（３，４）の硬さの相違に起因する、マットレス１の前後方向に沿った体圧分散能力の急激な変化がさらに回避され、良好な体圧分散分布が得られることができる。また、第１の弾性ユニット（３，４）が複数個に分割されていても、第１の弾性ユニット（３，４）の上面全体を覆う、第２の弾性ユニット（弾性層）５によって、分割位置上における寝心地の違和感が抑制される。
【００３９】
特に、図１（Ａ）を参照すると、背中や臀部の部分体重（Ｗ＞＞ｗ）は、人によって大きく異なるが、頭部や脚部の部分体重は、比較的差が小さい。本実施例のマットレス１によれば、背中の荷重を受ける第１の背中側弾性ユニット３と、臀部の荷重を受ける第１の足元側弾性ユニット４とによって、様々な体重をもった多数の人の寝心地に関する要望に対応することができる。
【００４０】
［第１の弾性ユニット（３，４）の構造］
図２（Ａ）は、図１に示したマットレスが内蔵する第１の弾性ユニットの上面図であり、図２（Ｂ）は、図２（Ａ）のＢ−Ｂ断面図である。第１の弾性ユニット（３，４）を構成する、第１の背中側弾性ユニット３と、第１の足元側弾性ユニット４とは、基本的に同様の構造を有している。したがって、以下の説明においては、主として、第１の足元側弾性ユニット４の構造について説明し、第１の背中側弾性ユニット３の構造については、第１の足元側弾性ユニット４の構造に関する説明を参照するものとする。
【００４１】
図２（Ａ）及び図２（Ｂ）を参照すると、第１の足元側弾性ユニット４は、芯材４ｂと、芯材４ｂの厚さ方向に沿って一側に配置され弾性変形自在な第１の層４ａと、芯材４ｂの厚さ方向に沿って他側に配置され弾性変形自在な第２の層４ｃと、を有している。芯材４ｂは、第１及び第２の層４ａ，４ｃよりも硬く形成されている。第１の層４ａと第２の層４ｃは、硬さが異なっている。第１の層４ａの硬さと第２の層４ｃの硬さは、弾性枠体２および第２の弾性ユニット（弾性層）５の硬さが、第１の層４ａの硬さと第２の層４ｃの硬さの間にあるよう、形成されている（図３参照）。また、図１に示したマットレス１の面方向に沿って、芯材４ｂは、第１及び第２の層４ａ，４ｃよりも後退して形成されている。
【００４２】
第１の層４ａ、芯材４ｂおよび第２の層４ｃの、厚みおよび硬さの設定例を下記に示す。硬さは、ＪＩＳ Ｋ ６４００に準拠して測定される。
（１）第１の層（硬い方の層）４ａ      厚み：22mm、硬さ：187.5±32.5N/314cm２
（２）芯材４ｂ                        厚み： 7mm、硬さ：300N/314cm２
（３）第２の層（柔らかい方の層）４ｃ  厚み：70mm、硬さ：58.8±19.6N/314cm２
【００４３】
第１及び第２の層４ａ，４ｃには、弾性枠体２や第２の弾性ユニット５と同じ材料などから形成され、硬さを変えたものが使用され、芯材（中間層）４ｂには、ポリエステルを主原料とする硬質フェルト、又は、硬さが200N/314cm２（JIS K 6400）以上の木材、樹脂などが使用される。
【００４４】
［第１の弾性ユニット（３，４）の機能］
以上説明した、弾性枠体２、第１の弾性ユニット（３，４）の第１の層４ａおよび第２の層４ｃ、並びに第２の弾性ユニット（弾性層）５の硬さの相互関係をまとめて説明する。図３は、図１に示した、弾性枠体、第１の弾性ユニットの第１の層および第２の層、並びに第２の弾性ユニットの荷重−ストローク線図である。
【００４５】
図３を参照すると、第２の層４ｃと第１の層４ａの硬さの間に、弾性枠体２および第２の弾性ユニット５の硬さがあること、所定荷重に対する変位量に関して、第１の層４ａの変位量を“Ａ”とし、第２の層４ｃの変位量“Ｃ”とすると、Ｃ−Ａ≧10mmとなっていること、が分かる。このように、Ｃ−Ａの差を所定値よりも大きくすることにより、第１の弾性ユニット（３，４）の上下を反転した際、硬さの明確な差異、すなわち、寝心地の明確な相違が利用者に明確に認識される。
【００４６】
また、第１の層４ａと第２の層４ｃとを比較して、柔らかい第２の層４ｃの方が厚く、硬い第１の層４ａの方が薄く形成されている。これによって、変形し易い第２の層４ｃの変形余裕が確保されるとともに、変形し難い第１の層４ａは薄いことにより、マットレス１を薄く軽量に形成することができ、結局、いずれの層４ａ，４ｃが上にきても、十分な体圧分散効果を得ることができる。
【００４７】
また、図２（Ａ）及び図２（Ｂ）に示したように、芯材４ｂは、第１及び第２の層４ａ，４ｃよりも後退して形成されている。これによって、利用者のマットレス乗降時、第１の足元側弾性ユニット４などの弾性変形により、硬い芯材４ｂが、柔らかい弾性枠体１に干渉して、弾性枠体１を損傷することが防止される。また、弾性変形し難い芯材４ｂに、弾性変形自在な第１又は第２の層４ａ，４ｃを介さずに、直接的に荷重が印加されることが防止され、この結果、利用者の乗降に伴って繰り返し荷重を受ける芯材４ｂの耐久性が向上される。芯材４ｂの、第１及び第２の層４ａ，４ｃの端面からの後退度Ｄは、製造時、第１及び第２の層４ａ，４ｃの癒着を防止するよう、所定値以下であることが好ましい。よって、芯材の後退度は、２〜１０ｍｍ程度が好ましい。
【実施例２】
【００４８】
［ダブルベッド用マットレス］
本実施例において、本実施例が前記実施例１と共通する点については、適宜前記実施例１の記載を参照するものとし、主として、本実施例と前記実施例１の相違点について説明する。
【００４９】
図４は、本発明の実施例２に係るダブルベッド用のマットレスの一部破断上面図である。図４を参照すると、第１の弾性ユニット（１３ａ，１３ｂ，１４ａ，１４ｂ）は、マットレス１１の幅方向に沿っても複数個に分割され、左右の第１の背中側弾性ユニット１３ａ，１３ｂと、左右の第１の足元側弾性ユニット１４ａ，１４ｂから構成されている。第２の弾性ユニット（弾性層）１５の幅は、第１の弾性ユニット（１３ａ，１３ｂ，１４ａ，１４ｂ）の幅よりも長く形成されている。第２の弾性ユニット１５の下面において、幅方向両端部は弾性枠体２に支持され、幅方向中間部は第１の弾性ユニット（１３ａ，１３ｂ，１４ａ，１４ｂ）上に載置されている。
【００５０】
本実施例に係るマットレス１１によれば、左右の利用者によって選択される硬さが相違する場合であっても、第２の弾性ユニット（弾性層）１５によって、幅方向中央部におけるマットレス１１の硬さの急激な変化が緩和され、体圧分散分布が滑らかとなる。すなわち、ダブルベッド用のマットレス１１において、複数の利用者が個々に異なる硬さを選択し寝心地を調整しても、体圧分散分布は良好となり、寝心地調整によって生じる違和感が可及的に抑制される。
【実施例３】
【００５１】
［第１の弾性ユニットの側部保護カバー］
本実施例において、本実施例が前記実施例１と共通する点については、適宜前記実施例１の記載を参照するものとし、主として、本実施例と前記実施例１の相違点について説明する。
【００５２】
図５（Ａ）は、本発明の実施例３に係る第１の弾性ユニットの上面図、図５（Ｂ）は、図５（Ａ）の第１の弾性ユニットを前後方向から見た側面図である。図５（Ａ）及び図５（Ｂ）を参照すると、第１の弾性ユニット２４は、図２（Ｂ）に示した第１の足元側弾性ユニット４と同様に、第１及び第２の層２４ａ，２４ｃ並びに芯材２４ｂを有している。さらに、第１の弾性ユニット２４の左右側部は、前後方向に沿って延在する部分保護カバー２６が接着されている。部分保護カバー２６によって、利用者のマットレス乗降時、第１の弾性ユニット２４の側部に応力が集中することが防止され、引き裂き強度が向上される。部分保護カバー２６は、不織布又は布から形成することができ、その幅は２０ｍｍ以上が好ましい。
【実施例４】
【００５３】
［第１の弾性ユニットの全体保護カバー］
本実施例において、本実施例が前記実施例３と共通する点については、適宜前記実施例３の記載を参照するものとし、主として、本実施例と前記実施例３の相違点について説明する。
【００５４】
図６（Ａ）は、本発明の実施例４に係る第１の弾性ユニットの上面図、図６（Ｂ）は、図６（Ａ）の第１の弾性ユニットを前後方向から見た側面図である。図６（Ａ）及び図６（Ｂ）を参照すると、第１の弾性ユニット３４は、図２（Ｂ）に示した第１の足元側弾性ユニット４と同様に、第１及び第２の層３４ａ，３４ｃ並びに芯材３４ｂを有している。さらに、第１の弾性ユニット３４の全面には、全体保護カバー３６が接着されている。この形状により、利用者のマットレス乗降時、第１の弾性ユニット３４に局部的な応力が集中することが防止され、引き裂き強度が向上される。全体保護カバー３６は、不織布又は布から形成することができる。
【実施例５】
【００５５】
図７（Ａ）は、本発明の実施例５に係る第１の弾性ユニットの上面図、図７（Ｂ）は、図７（Ａ）の第１の弾性ユニット前後方向から見た側面図である。図７（Ａ）及び図７（Ｂ）を参照すると、第１の弾性ユニット４４は、図２（Ｂ）に示した第１の足元側弾性ユニット４と同様に、第１及び第２の層４４ａ，４４ｃ並びに芯材４４ｂを有している。さらに、第１の弾性ユニット４４の左右両側の辺部が面取り４７されている。このような面取り４７によって、利用者のマットレス乗降時、第１の弾性ユニット４４の側部に応力が集中することが防止され、引き裂き強度が向上される。また、面取り４７によって、第１の弾性ユニット４４を、マットレス内部に装填又は取り出す際、摩擦抵抗が低減され、作業性が向上する。
【産業上の利用可能性】
【００５６】
本発明は、ベッドのマットレス、或いは、床面に載置されるマットレスなどの寝具に好適に利用される。
【符号の説明】
【００５７】
１  マットレス
２  弾性枠体
２ａ  上段凹部
２ｂ  下段凹部
３  第１の背中側弾性ユニット（寝心地調整用）
４  第１の足元側弾性ユニット（寝心地調整用）
４ａ  第１の層（一側の層）
４ｂ  芯材
４ｃ  第２の層（他側の層）
５  第２の弾性ユニット（寝心地変化緩和用）
６  外装カバー
６ａ  表キルト部
６ｂ  側面キルト部
６ｃ  底布地部
１１  マットレス（ダブルベッド用）
１２  弾性枠体
１３ａ，１３ｂ  左右の第１の背中側弾性ユニット
１４ａ，１４ｂ  左右の第１の足元側弾性ユニット
１５  第２の弾性ユニット（弾性層）
２４  第１の弾性ユニット
２４ａ  第１の層（一側の層）
２４ｂ  芯材
２４ｃ  第２の層（他側の層）
２６  部分保護カバー
３４  第１の弾性ユニット
３４ａ  第１の層（一側の層）
３４ｂ  芯材
３４ｃ  第２の層（他側の層）
３６  全体保護カバー
４４  第１の弾性ユニット
４４ａ  第１の層（一側の層）
４４ｂ  芯材
４４ｃ  第２の層（他側の層）
４７  面取り
Ｄ  芯材の後退度
【図１】
2010253103.tif 000003
【図２】
2010253103.tif 000004
【図３】
2010253103.tif 000005
【図４】
2010253103.tif 000006
【図５】
2010253103.tif 000007
【図６】
2010253103.tif 000008
【図７】
2010253103.tif 000009